(57)【要約】【課題】製造時に不純物として残留した微量なアルミニウムイオンを有するインクや、使用機器の材料から溶出し、インク中に微量なアルミニウムイオンが混入したインクを使用した場合に、該アルミニウムイオンによって起こり得るインクの吐出不良等の問題を解決したインクジェット用インクセットの提供。【解決手段】複数のインクを独立に有してなるインクジェット用インクセットにおいて、各インク中に、アルミニウムイオンが０．１ｐｐｍ以上５．０ｐｐｍ以下の範囲で含まれており、これらの各インクのうちの少なくとも１のインク中に、１００ｐｐｍ以上１０，０００ｐｐｍ以下のキレート剤が含有されており、且つ、少なくとも１のインク中にはキレート剤が含有されていないインクジェット用インクセット。【選択図】  なし【特許請求の範囲】
【請求項１】
複数のインクを独立に有してなるインクジェット用インクセットにおいて、各インク中に、アルミニウムイオンが０．１ｐｐｍ以上５．０ｐｐｍ以下の範囲で含まれており、これらの各インクのうちの少なくとも１のインク中に、１００ｐｐｍ以上１０，０００ｐｐｍ以下のキレート剤が含有されており、且つ、少なくとも１のインク中にはキレート剤が含有されていないことを特徴とするインクジェット用インクセット。
【請求項２】
キレート剤が、トリカルボン酸塩である請求項１に記載のインクジェット用インクセット。
【請求項３】
トリカルボン酸塩が、クエン酸三ナトリウムである請求項２に記載のインクジェット用インクセット。
【請求項４】
アルミニウムイオンが、インク中の不純物である請求項１〜３の何れか１項に記載のインクジェット用インクセット。
【請求項５】
インクがポリオレフィンを材料に用いたインク吸収体を有するインクタンクに収容されており、アルミニウムイオンの少なくとも一部が、インクが接する部材に使用されているポリオレフィンの中和剤に由来する溶出成分である請求項４に記載のインクジェット用インクセット。
【請求項６】
各インクのｐＨが、６〜１０の範囲に調整されている請求項１〜５の何れか１項に記載のインクジェット用インクセット。
【請求項７】
インクジェットヘッドのクリーニング機構としてワイパーを有したインクジェット記録装置に使用されるインクセットである請求項１〜６の何れか１項に記載のインクジェット用インクセット。
【請求項８】
インクに熱エネルギーを与えてインクを飛翔させる方式のインクジェット記録に使用されるインクセットである請求項１〜７の何れか１項に記載のインクジェット用インクセット。
【請求項９】
インクの一滴あたりの吐出重量が５ｎｇ以下であるインクジェット記録に使用されるインクセットである請求項１〜８の何れか１項に記載のインクジェット用インクセット。
【発明の詳細な説明】
【０００１】
【発明の属する技術分野】
本発明は、複数のインクを独立して有してなるインクジェット用インクセットに関する。
【０００２】
【従来の技術】
近年、インクジェット記録によって得られる画像の画質向上は目覚ましく、いまや、高画質の代名詞である銀塩写真の画質に匹敵する高精細画像が得られるまでになってきている。一方、そのような高画質記録に使用されるインクでは、これまで以上に、その品質が厳重に管理されることが要求されている。これに対する技術としては、例えば、インク中における、カルシウム、マグネシウム、マンガン、鉄、アルミニウム、ケイ素の総和を２０ｐｐｍ以下にして不純物の含有量を低減し、これによって、ノズルの目詰まり性の改善や、熱をインク吐出のエネルギーとするサーマルインクジェット記録時のコゲーションの発生を抑制する技術が開示されている（例えば、特許文献１参照）。この場合には、インクは、それぞれに精製された原材料を調合することによって製造され、不純物濃度が上記の範囲内となるように管理されている。
【０００３】
上記したように、製造時においてインクの品質を厳重に管理する一方で、その使用時において生じる恐れのある、インクタンク等の記録ユニットを構成する物質からの溶出物質によるインクへの汚染を防ぐための技術も種々検討されている。中でも、インクタンク中に配置された吸収体から不純物が溶出し、インク中に混入することが知られているが、これに対しては、例えば、インクタンク中の吸収体から溶出するケイ素量と、安定なインクジェット記録との間の関係を規定した技術がある（例えば、特許文献２参照）。
【０００４】
又、例えば、インク中に、トリカルボン酸及びトリカルボン酸の塩を含有させることで、サーマルインクジェット記録時のコゲーションの解決手段とする技術についての提案がある（例えば、特許文献３参照）。更に、構成も効果も本発明とは異なるが、ｎ種類のインクを独立に有するインクセットにおいて、色材添加量の高いｎ／２種類のインクにキレート剤を添加することで、インクごとの回復性における斑をなくしたインクセットが提案されている（例えば、特許文献４参照）。
【０００５】
更に、前記したように、最近のインクジェット記録物に対する銀塩写真に匹敵するような高画質化への要求に伴って、記録装置においても、記録ヘッドのインク吐出口の微細化や、インク液滴の媒体への着弾精度の向上等が、必須の要件となってきている。又、インク（インクタンク等に収納された状態等も含む）の長期保存や、高温下での保存性能も重要な問題である。
【０００６】
【特許文献１】
特公平３−４８９５３号公報
【特許文献２】
特開平１１−１９８３９９号公報
【特許文献３】
特開平１１−３１５２３８号公報
【特許文献４】
特開２０００−４４８５４公報
【０００７】
【発明が解決しようとする課題】
以上のような、インクの性能目標、品質管理の元で検討を行っていく過程で、保存試験を行ったインクタンクを用いて印字性能試験を行った所、特定の条件下で、インクの着弾精度が乱れるという問題が発生した。この原因を解析した所、詳細は不明な部分があるが、サーマルインクジェット記録時のコゲーションが原因ではなく、インク中に含まれる非常に微量なアルミニウムイオンによって、着弾不良が起こっていることが分かった。又、この現象は、インク中にアルミニウムイオンを微量に添加した試験用インクでも再現することがわかり、インク中のアルミニウムイオンと印字不良との間に相関があることが確認された。
【０００８】
従って、本発明の目的は、製造時において不純物として残留した微量なアルミニウムイオンを有するインクをインクジェット記録に使用することによって起こり得る、インクの着弾不良等の問題が解決されたインクジェット用インクセットを提供することである。又、本発明の他の目的は、機器を構成している材料からアルミニウムが溶出し、インク中に微量のアルミニウムイオンが混入した場合において、該インクを用いてインクジェット記録を行った場合に起こり得るインクの着弾不良等の問題が解決されたインクジェット用インクセットを提供することである。
【０００９】
【課題を解決するための手段】
上記目的は以下の本発明によって達成される。即ち、本発明は、［１］複数のインクを独立に有してなるインクジェット用インクセットにおいて、各インク中に、アルミニウムイオンが０．１ｐｐｍ以上５．０ｐｐｍ以下の範囲で含まれており、これらの各インクのうちの少なくとも１のインク中に、１００ｐｐｍ以上１０，０００ｐｐｍ以下のキレート剤が含有されており、且つ、少なくとも１のインク中にはキレート剤が含有されていないことを特徴とするインクジェット用インクセットである。尚、本発明でいうｐｐｍはインク１キログラム中のアルミニウムイオンの質量「ｍｇ／ｋｇ」を意味する。
【００１０】
本発明にかかるインクセットの好ましい形態は、下記の［２］〜［６］が挙げられる。［２］上記したキレート剤が、トリカルボン酸塩である上記［１］に記載のインクジェット用インクセット。［３］トリカルボン酸塩が、クエン酸三ナトリウムである上記［２］に記載のインクジェット用インクセット。［４］アルミニウムイオンが、インク中の不純物である上記［１］〜［３］の何れかに記載のインクジェット用インクセット。［５］インクがポリオレフィンを材料に用いたインク吸収体を有するインクタンクに収容されており、アルミニウムイオンの少なくとも一部が、インクが接する部材に使用されているポリオレフィンの中和剤に由来する溶出成分である上記［４］に記載のインクジェット用インクセット。［６］各インクのｐＨが、６〜１０の範囲に調整されている上記［１］〜［５］の何れかに記載のインクジェット用インクセット。
【００１１】
本発明の別の実施形態としては、下記のものが挙げられる。［７］インクジェットヘッドのクリーニング機構としてワイパーを有したインクジェット記録装置に使用されるインクセットである上記［１］〜［６］の何れかに記載のインクジェット用インクセット。［８］インクに熱エネルギーを与えてインクを飛翔させる方式のインクジェット記録に使用されるインクセットである上記［１］〜［７］の何れかに記載のインクジェット用インクセット。［９］インクの一滴あたりの吐出重量が５ｎｇ以下であるインクジェット記録に使用されるインクセットである上記［１］〜［８］の何れかに記載のインクジェット用インクセット。
【００１２】
【発明の実施の形態】
以下に好ましい実施の形態を挙げて、本発明を更に詳細に説明する。本発明者らは、上記した従来技術の課題を解決すべく鋭意検討の結果、インクセットを構成する各インクがインク中に、不純物としてアルミニウムイオンが含有されていたとしても、インクセットを構成する少なくとも１のインク中に所定量のキレート剤を含有させ、かかる構成のインクセットを用いて画像形成を行えば、キレート剤を含有させたインクのみならず、キレート剤を含有させていないインクがある場合においても、安定したインクジェット記録を行うことができることを見いだした。特に、後述するように、インクによってはキレート剤を含有させると不具合を生じるものがあるが、本発明では、インクセットを構成するインクとしてキレート剤を含有させないインクを使用できるため、各インクを構成する色材等の成分の選択の範囲が広がるという利点がある。
【００１３】
全てのインク中にキレート剤を含有させた構成ではない本発明にかかるインクセットにおいて、安定したインクジェット記録が達成される理由を、本発明者らは下記のように考えている。先ず、インクセットを構成する少なくとも１のインク中のキレート剤が、該インク中のアルミニウムイオンと錯体を形成（キレート作用）し、アルミニウムイオンの不安定な溶解度に基づく現象を抑制し、次に、インクジェット記録装置を使用する際に生じるヘッドをクリーニングする際のワイピング動作及びミストインクにより、キレート剤を含むインクがキレート剤を含まないインクに混入することにより、キレート剤を含まないインク中のアルミニウムイオンとも錯体を形成（キレート作用）し、アルミニウムイオンの不安定な溶解度に基づく現象が抑制され、キレート剤を含有するインク及びキレート剤を含有しないインク双方のアルミニウムイオンの不安定な溶解度に基づく現象が抑制されたものと推測される。
【００１４】
更に、上記推測から、本件のインクセットを構成する各インクのうち、キレート剤を含有するインク中のアルミニウムイオンの大部分は、キレート化され、錯体の状態で存在しており、一方、キレート剤を含有しないインクのアルミニウムイオンの大部分は、キレート剤を含有するインクの混入により、いち早くキレート化された状態で存在するものと予測される。
【００１５】
上記したように、本発明にかかるインクセットは、インクセットを構成する各インク中に微量のアルミニウムイオンが含まれていることを前提とし、各インク中の少なくとも一つはキレート剤を含むものであり、且つ、各インクの少なくとも一つはキレート剤を含まない構成を有することを特徴とする。以下に、本発明にかかるインクセットを構成する各インクについて説明する。
【００１６】
（インク中のアルミニウムイオン）
本発明者らの詳細な検討の結果、着弾不良等の不具合が起こり得るのは、アルミニウムイオンが、インク中に０．１ｐｐｍ以上存在する場合であることが判明した。水性インクの場合、水として純水を使用し、色材や溶剤等の各種原材料も精製されたものを用い、インク中の無機イオンの量は厳密に管理されているのが一般的である。本発明は、上記したような製造上の管理を充分に行っているにもかかわらず除去することが難しく、インク中に不純物として混入してくるアルミニウムイオンに起因する課題の解決を目的としている。
【００１７】
更に、インク中のアルミニウムイオン量を厳密に管理することで、製造時における混入量を０．１ｐｐｍよりも少なくすることができた場合であっても、インクジェット記録装置を構成している部品からアルミニウムが溶出し、インク中に混入される場合もあった。例えば、特許第２７０４８９４号公報にあるように、ポリオレフィンプラスチックの中和剤にハイドロタルサイトのようなアルミニウム化合物を用いる場合があり、これが原因となって、上記のようなポリオレフィンプラスチックを材料とする部品が用いられている場合に、アルミニウムイオンがインクに混入することがある。本発明では、特に、インク中に０．１ｐｐｍ以上５．０ｐｐｍ以下という微量な量のアルミニウムイオンが含有されている場合に対し、有効な解決方法を提案する。アルミニウムイオンが０．１ｐｐｍ以上５．０ｐｐｍ以下であると、本願発明の効果を特に顕著に得ることができる。尚、インク中のアルミニウムイオンは、プラズマ発光分光分析装置等を用いて、定量することができる。
【００１８】
ここで、インク中に含まれる無機イオンの中で、特にアルミニウムイオンについてのみ限定しているのは、製造上、除去することが難しいということもあるが、アルミニウムイオンは、水酸化アルミニウムとして析出し易いという性質があり、不具合が起こり易いことにもよる。即ち、インクジェット記録装置のヘッドのノズル部等に析出物が析出すると、特に着弾不良を引き起こす場合がある。そこで、本発明では、製造の際に完全に除去できなかったり、又、部品からの溶出に由来すると考えられる０．１ｐｐｍ以上５．０ｐｐｍ以下のアルミニウムイオンが存在するインクにおいて、水酸化アルミニウム等のアルミニウム化合物の析出を抑え、有効に着弾不良を回避することを目的とするため、インク中に混入している無機イオンの中のアルミニウムイオンについてのみ限定する構成としている。
【００１９】
（ポリオレフィンを材料とするインク吸収体）
本発明にかかるインクセットは、独立に組み合わせてなる各インクが、ポリオレフィンを材料とするインク吸収体を用いたインクタンクに収容されている場合に、特に顕著な効果が得られる。
【００２０】
（キレート剤の働き）
本発明にかかるインクセットは、該インクセットを構成している各インクのうちの少なくとも１のインク中に１００ｐｐｍ以上１０，０００ｐｐｍ以下のキレート剤を含み、且つ、少なくとも１のインクが、キレート剤を含まないことを特徴とする。先に述べたように、アルミニウムイオンをキレート化させる化合物（キレート剤）を、インクセットを構成している複数のインク中の少なくとも１種のインク中に添加することによって、アルミニウムイオンに起因して生じる印字の不具合を抑制することが可能になる。キレート剤が１００ｐｐｍ未満であると、効果が不十分となり、１０，０００ｐｐｍより多いと、インクジェット用ヘッドの寿命の低下等の弊害が発生する。尚、インク中のキレート剤は、液クロマトグラフィー等の常法によって定量することができる。
【００２１】
キレート剤の一例を挙げると、クエン酸化合物は、一般的に金属イオンのマスキング剤として使用されている。例えば、クエン酸アルミニウムは水溶性があり、広範囲のｐＨ領域で安定である。又、インクの蒸発やｐＨ変化に対しても安定であるため、インクに添加させることによって安定的にアルミニウムイオンを可溶化でき、この結果、先に述べた本発明の効果が得られるものと推測される。インクに添加するキレート剤については、アルミニウムイオンと錯形成能を有するものであれば、量、種類等、特に限定されない。
【００２２】
本発明で用いることのできるキレート剤の具体例を挙げると、例えば、アリザリン、クペロン、クロモトロープ酸、酒石酸、シュウ酸、クエン酸、タイロン、二燐酸、エチレンジアミン、ジメチルグリオキシム、２，２’−ビピリジン、α，α−フリルジオキシム、キサントゲン酸、ジエチルジチオカルバミン酸、トルエン−３，４−ジチオール、ｏ−アミノフェノール、オキシン、キナルジン酸、サリチルアルドキシム、ニトロソＲ酸、２−ニトロソ−５−ジメチルアミノフェノール、１−ニトロソ−２−ナフトール、マグネソン、ジエチレントリアミン、２，２’，２’’−テルピリジル、１，２，３−トリアミノプロパン、エリオクロムブラックＴ、ムレキシド、４−（２−チアゾリルアゾ）−レゾルシン、１−（２−ピリジルアゾ）−２−ナフトール、チオジエチルアミン、ポルフィリン類、トリエチレンテトラミン、トリエタノールアミン、ニトリロ三酢酸、エチレンジアミン二酢酸、テトラエチレンペンタミン、ヒドロキシエチルエチレンジアミン三酢酸、エチレンジアミン四酢酸、ｔｒａｎｓ−シクロヘキサンジアミン四酢酸、ペンタエチレンヘキサミン、ジエチレントリアミン五酢酸、トリエチレンテトラミン六酢酸、メチルチモールブルー、ムレキシド、２−ヒドロキシ−１−（２−ヒドロキシ−４−スルホ−１−ナフチルアゾ）−３−ナフトエ酸、１−（２−ピリジルアゾ）−２−ナフトール、クレゾールフタレインコンプレクソン、ピロカテコールバイオレット、キシレノールオレンジ、の各化合物等が挙げられる。上記のようなキレート試薬は、単独でも或いは混合物としても使用することができる。これらの中でも特にトリカルボン酸塩が望ましく、その中でも、特に、クエン酸三ナトリウム等のクエン酸塩が望ましい。
【００２３】
本発明にかかるインクセットは、該インクセットを構成している各インクのうちの少なくとも１のインクは、１００ｐｐｍ以上１０，０００ｐｐｍ以下のキレート剤を含むものであり、且つ、少なくとも１のインクは、キレート剤を含んでいない構成を有する。ここで、インク中に含有させるキレート剤は、キレート剤を含むインク中に存在するアルミニウムイオンを好ましくは全て、少なくとも本発明の技術課題が発生しない程度にキレート化させる必要がある。更に、本発明にかかるインクセットは、キレート剤を含まない構成のインクが組み合わされているため、ヘッドクリーニング時のワイピング動作及び印字時のミストインク等によりキレート剤を含まないインク中にキレート剤を含むインクが混入した際に、キレート剤を含むインク中のキレート剤が、キレート剤を含まないインク中のアルミニウムイオンをキレート化させることを要する。
【００２４】
又、キレート剤を添加させると、インクの種類によっては、インク組成の相性等から、他の性能が劣化するといった弊害を引き起こす場合がある。これに対して、高精細の画像が要求される最近のインクジェット記録においては、多少の添加剤等が、印字性能等に影響を与えることがわかっている。そこで、本発明では、上記したように、インクセットを構成する全てのインクにキレート剤を含有させることなく、キレート剤を添加させても弊害を生じないインクにのみキレート剤を含有させ、これによって、インクセットを構成する全てのインクに対してアルミニウムイオンの不安定な溶解度に起因して生じる、先に述べた不具合な現象の抑制を達成させる。
【００２５】
又、本発明の構成要件を満たすインクセットであれば、特に、染料濃度の高いインクを選択してキレート剤を含有しなければならない等の制約はなく、キレート剤を添加することにより、弊害を引き起こすことのないインクに任意にキレート剤を含有させることができる。
【００２６】
以上から、ワイピング動作等により該インクがキレート剤を含まないインク中に混入した際に、キレート剤を含むインクに由来するキレート剤が、キレート剤を含まないインク中のアルミニウムイオンをキレート化して可溶化し、アルミニウムイオンの不安定な溶解度に基づく現象を抑制することができる量が必要となる。従って、キレート剤を含む各インクを作製する際には、インクセットを構成する複数のインクのうち、いくつのインクにキレート剤を含有させるかによって、キレート剤を含む各インク中のキレート剤の含有量を決定する必要がある。キレート剤を含むインク中のキレート剤の好ましい添加量は、１００ｐｐｍ以上１０，０００ｐｐｍ以下（０．０１％以上１％以下）である。
【００２７】
（インクの物性）
本発明にかかるインクセットを構成する各インクは、ｐＨが６〜１０に調整されたものであることが好ましい。即ち、このｐＨの範囲内で、キレート剤によって効果的にアルミニウムイオンの可溶化が行われる。この範囲外では、効果が出にくい場合があるからである。
【００２８】
（その他のインク成分）
本発明で使用する各インクを構成する成分としては、染料や顔料等の着色剤、これらを分散或いは溶解するための、水や水性有機溶媒等の水性媒体が挙げられる。これらの成分は、それぞれ従来公知の物を使用することができる。又、その他、インク性能を向上させるための、湿潤剤、界面活性剤、防黴剤、ｐＨ調整剤等を含有することができる。これらについても、それぞれ従来公知の物を使用することができる。
【００２９】
（インクジェット記録装置）
上記したような成分からなる複数のインクの組み合わせである本発明にかかるインクセットは、インクジェット記録に用いられる。インクジェットヘッドのクリーニング機構としてワイパーを有したインクジェット記録装置に適用した場合に、特に、本発明の好ましい結果が得られる。本発明では、インクジェット記録による画像形成の際に、キレート剤を含有させたインクを、キレート剤を含有していないインクに混入させることで、キレート剤を含有していないインクにおいても吐出不良を防止させる。これに対し、キレート剤を含有したインクのキレート剤を含有しないインクへの混入は、インクジェット記録におけるミストインクの混入によって生じる。上記した機構を有する装置を用いた場合は、ミストインクの混入に加えて、ワイパーによる回復動作の際にワイパーに付着したインクの混入が起こるが、かかる効果は、上記したミストインクの混入による効果よりも大きいため、より良好な結果が得られる。更に、複数の色のインクを用いた場合には、混入したインクの混色による印字への影響を出さないために、印字前に予備吐出を行い、混色したインクが印字に影響を与えないようにする機構を有したインクジェット記録装置において用いることがより好ましい。
【００３０】
（インクジェット記録方法）
本発明にかかるインクジェット用インクセットは、水性インクを記録媒体に付着させて印字を行うインクジェット記録方法であれば、何れの方法でも好適に用いることができる。その中でも、記録信号に応じてインクを微小なオリフィスから液滴を飛翔させて記録を行うインクジェット記録方法、とりわけオンデマンド型インクジェット記録方法に用いた場合に、より優れた効果を発揮する。
【００３１】
オンデマンド型インクジェット記録方法としては、例えば、プリンターヘッドに配列された発熱抵抗素子のヒーターによる熱エネルギーを用いて記録を行うサーマルインクジェット記録方法、プリンターヘッドに配設された圧電素子を用いて記録を行うピエゾインクジェット記録方法、等が挙げられる。その詳細な理由は明らかではないが、サーマルインクジェット記録方法に本発明にかかるインクセットを用いると、特に効果的である。更に、インク一滴あたりの吐出量が５ｎｇ以下であるようなインクジェット記録方法に好適に用いることができる。
【００３２】
【実施例】
以下、実施例及び比較例を挙げて本発明を具体的に説明するが、これらは本発明の範囲を限定するものではない。尚、文中、％とあるのは特に断りのない限り質量基準である。
【００３３】
＜実施例１＞
表１に示した組成の各成分を充分に混合溶解した後、ポアサイズ０．２μｍフィルター（富士フイルム製）で加圧濾過し、３種類のシアンインクをそれぞれ調製した。次に、調製した３種類のインクに、各インク中に、アルミニウムイオンが表１に示した量だけ含有されたものとなるように、アルミニウムイオン換算でアルミン酸ナトリウムをそれぞれ添加し、インク１〜３とした。インク１及び２は、キレート剤であるクエン酸三ナトリウムを含み、インク３はキレート剤を含まないインクである。そして、これらのインク１〜３を独立に組み合わせて本実施例のインクセットとした。尚、インク中のアルミニウムイオンの定量は、誘導結合プラズマ発光分析（ＩＣＰ）によって行った。
【００３４】
2005015706.tif 000002
【００３５】
＜実施例２＞
実施例１と同様にして、表２に示した組成からなるシアンインク４及び５、イエローインク６をそれぞれ調製した。そして、これらのインク４〜６を独立に組み合わせて本実施例のインクセットとした。
【００３６】
2005015706.tif 000003
【００３７】
＜比較例１＞
実施例１と同様にして、表３に示した組成からなるシアンインク７と、イエローインク８及び９を調製した。表３に示した通り、インク７〜９は、いずれもキレート剤を含有していない。そして、これらのインク７〜９を独立に組み合わせて本比較例のインクセットとした。
【００３８】
2005015706.tif 000004
【００３９】
（記録物及びインク吐出性の評価）
上記のようにして調製した実施例１、２及び比較例１の各インクセットを、記録信号に応じた熱エネルギーをインクに付与することによりインクを吐出させるオンデマンド型マルチ記録ヘッドを有するインクジェット記録装置であるカラーインクジェットプリンター（商品名、ＢＪ  Ｓ３００：キヤノン（株）製）に搭載し、各色７．５％の印字密度の記録画像を印刷した。そして、３，５００枚まで印字耐久を行った。尚、該インクジェットプリンターは、カラーインクのインクセット（インク３種）を内包したカラーインク用インクタンクとブラックインクを内包したブラックインク用インクタンクを搭載するインクジェットプリンターであり、実施例１、実施例２及び比較例１の各インクセットの各カラーインクは、ポリオレフィン製のインク吸収体を内包させたカラーインク用インクタンクに注入されたものを用いた。又、ブラックインク用インクタンクは、ＢＪ  Ｓ３００専用市販ブラックインクカートリッジを使用した。又、試験は、３０℃／８０％ＲＨ環境下で行った。
【００４０】
上記で行った耐久の画像形成試験の結果を以下の判断基準で判定した。そして、評価結果を表４に示した。
○：インクセットを構成する全てのインクで、最後まで良好な記録物が得られ、インク吐出性に問題は見あたらなかった。
×：インクセットを構成する何れかのインクで、途中から記録物に乱れが生じ、インク吐出性に問題を生じた。
【００４１】
2005015706.tif 000005
【００４２】
＜実施例３＞
実施例１のインクセットにおいて、インク１〜３にアルミン酸ナトリウムを添加しない代わりに、該インクセットの各インクを、ポリオレフィン製のインク吸収体を内包させたカラーインク用インクタンクに注入し、該インクタンクを６０℃環境下で１週間保存した。その後、実施例１の場合と同様にして、記録物及びインク吐出性の評価を行った。尚、上記したインクタンクに保存後の各インクを抜き取ってアルミニウムイオンの量を定量したところ、０．２５ｐｐｍであった。上記の評価結果は、全ての環境下で、インクセットを構成する全てのインクにおいて、最後まで良好な記録物が得られ、インク吐出性に問題は見あたらなかった。
【００４３】
＜比較例２＞
比較例１のインクセットにおいて、インク７〜９にアルミン酸ナトリウムを添加しない代わりに、該インクセットの各インクを、ポリオレフィン製のインク吸収体を内包させたカラーインク用インクタンクに注入し、該インクタンクを６０℃環境下で１週間保存した。その後、比較例１の場合と同様にして、記録物及びインク吐出性の評価を行った。尚、上記したインクタンクに保存後の各インクを抜き取ってアルミニウムイオンの量を定量したところ、０．２５ｐｐｍであった。上記の評価結果は、何れかの環境下で、インクセットを構成する何れかのインクで、途中から記録物に乱れが生じ、インク吐出性に問題を生じた。
【００４４】
【発明の効果】
上記したように、本発明によれば、不純物として残留した微量なアルミニウムイオンが含有されたインクをインクジェット記録に使用した場合に起こり得る、着弾不良等の問題を解決することができるインクジェット記録用インクセットが提供される。又、本発明によれば、画像形成に使用する部材からの溶出成分の混入に起因した微量なアルミニウムイオンが含有されたインクをインクジェット記録に使用した場合に起こり得る、着弾不良等の問題を解決することができるインクジェット記録用インクセットが提供される。